(57)【要約】【課題】内容物に対する保冷性を備えるとともに、ポリ乳酸樹脂の生分解性を損なうことなく、装飾性を備える容器を提供する。【解決手段】容器１，４１は、充填剤非含有のポリ乳酸樹脂に、該ポリ乳酸樹脂に対して非反応性である超臨界状態の流体を含有させ、該ポリ乳酸樹脂を射出成形してなり、内部に発泡体層２，４２を備えるとともに、表面に発泡体層２，４２と一体に形成された非発泡体層３，４３を備え、発泡体層２，４２の気泡４が、射出された該ポリ乳酸樹脂の流動した痕跡を示し、非発泡体層３，４３が無色透明であり、非発泡体層３，４３を介して透視される気泡４，４４からなる装飾を備える。前記流体が二酸化炭素の場合には、気泡４は、０．１〜１０ｍｍの範囲で、射出方向の上流側から下流側に向かうにつれて次第に大きくなる平均直径を備える。前記流体が窒素の場合には、気泡４４が、０．５〜５０μｍの範囲である平均直径を備える。【選択図】  図１
2010111437.tif 000002
【特許請求の範囲】
【請求項１】
充填剤非含有のポリ乳酸樹脂に、該ポリ乳酸樹脂に対して非反応性である超臨界状態の流体を含有させ、該ポリ乳酸樹脂を射出成形してなり、内部に発泡体層を備えるとともに、表面に該発泡体層と一体に形成された非発泡体層を備える容器であって、
該発泡体層の気泡が、射出された該ポリ乳酸樹脂の流動した痕跡を示し、
該非発泡体層が、無色透明であり、該非発泡体層を介して透視される該気泡からなる装飾を備えることを特徴とする容器。
【請求項２】
前記流体が二酸化炭素であり、
前記気泡が、０．１〜１０ｍｍの範囲で、射出方向の上流側から下流側に向かうにつれて次第に大きくなる平均直径を備えることを特徴とする請求項１記載の容器。
【請求項３】
前記流体が窒素であり、
前記気泡が、０．５〜５０μｍの範囲である平均直径を備えることを特徴とする請求項１記載の容器。
【発明の詳細な説明】
【技術分野】
【０００１】
本発明は、ポリ乳酸樹脂の射出成形品からなる容器に関する。
【背景技術】
【０００２】
近年、合成樹脂からなる廃棄物による環境に対する負荷を軽減するために、ポリ乳酸樹脂等のように廃棄後、土中等で細菌等の微生物の働きにより分解される生分解性樹脂が提案されている。前記ポリ乳酸樹脂は、例えば射出成形により各種形状を備える成形体とすることができる。
【０００３】
従来、前記ポリ乳酸樹脂の射出成形品であって、カップ、トレー等の中空の成形体からなる食品容器として、ポリ乳酸と、充填剤として１〜１５０ｎｍの平均粒子径の粉体とを含む樹脂組成物の射出成形品であって、全体が中実体からなるものが提案されている（例えば特許文献１参照）。
【０００４】
しかしながら、前記食品容器は、全体が中実体であるために熱伝導性が高いので、収容された飲食物の温度維持が困難であるという不都合がある。
【０００５】
また、前記食品容器は、その色が前記粉体の色に支配されることから単色であるので、装飾として単調にならざるを得ない。そこで、食品容器の表面に塗装を施すことにより、装飾性を付与することが考えられる。
【０００６】
しかしながら、表面に塗装が施された前記食品容器は、塗装の種類によってはポリ乳酸樹脂の生分解性が妨げられるという不都合がある。
【先行技術文献】
【特許文献】
【０００７】
【特許文献１】特開２００４−２０４１４３号公報
【発明の開示】
【発明が解決しようとする課題】
【０００８】
本発明は、かかる不都合を解消して、内容物に対する保冷性を備えるとともに、ポリ乳酸樹脂の生分解性を損なうことなく、装飾性を備える容器を提供することを目的とする。
【課題を解決するための手段】
【０００９】
かかる目的を達成するために、本発明は、充填剤非含有のポリ乳酸樹脂に、該ポリ乳酸樹脂に対して非反応性である超臨界状態の流体を含有させ、該ポリ乳酸樹脂を射出成形してなり、内部に発泡体層を備えるとともに、表面に該発泡体層と一体に形成された非発泡体層を備える容器であって、該発泡体層の気泡が、射出された該ポリ乳酸樹脂の流動した痕跡を示し、該非発泡体層が、無色透明であり、該非発泡体層を介して透視される該気泡からなる装飾を備えることを特徴とする。尚、前記「超臨界状態」とは、ガスの種類により定まる温度及び圧力（臨界点）を超えて、気体の拡散性と液体の溶解性とを併せ持つ状態をいう。
【００１０】
本発明の容器は、充填剤を含有していないポリ乳酸樹脂に前記超臨界状態の流体が含有され、該ポリ乳酸樹脂がシリンダーから金型に向けて射出成形されることにより形成される。このとき、射出されたポリ乳酸樹脂は、金型により冷却され、金型に接する表面領域から内部へ向かって固化していく。また、金型内部がシリンダー内部よりも低圧であることにより、射出されたポリ乳酸樹脂中の前記超臨界状態の流体は、該ポリ乳酸樹脂が固化していない内部領域で非超臨界状態となって気泡を生じる。この結果、内部に発泡体層を備えるとともに、表面に該発泡体層と一体に形成された非発泡体層を備える容器が形成されることとなる。発泡体層は、互いに独立する気泡と、該気泡を囲む非発泡部とで構成される。
【００１１】
したがって、本発明の容器は、内部に発泡体層を備えることにより、従来の中実体からなる容器と比較して熱伝導性が低くなり、内容物の温度を維持するための保冷性を得ることができる。
【００１２】
また、射出されたポリ乳酸樹脂中で生じた気泡は、該ポリ乳酸樹脂が表面領域から内部へ向かって固化していくために、該表面領域へ移動することができず、固化していない内部領域で、該ポリ乳酸樹脂の流動に伴って射出方向の上流側から下流側に向かって移動する。そして、前記気泡は、射出されたポリ乳酸樹脂の内部領域の固化に伴って、前記発泡体層を形成するとともに、ポリ乳酸樹脂の流動した痕跡を示すこととなる。
【００１３】
また、前記非発泡体層は、ポリ乳酸樹脂が充填剤を含有していないことにより、無色透明に形成される。
【００１４】
したがって、本発明の容器は、無色透明である非発泡体層を介して、前記気泡を透視することができ、該気泡により装飾性を得ることができる。
【００１５】
また、前記装飾は前記気泡が示す前記痕跡により得られたものであり、生分解性樹脂以外のものを用いて得られたものではないので、本発明の容器は、生分解性を確保することができる。
【００１６】
ところで、前記流体が二酸化炭素の場合には、射出された前記ポリ乳酸樹脂中で生じた複数の気泡が一体化して、大きな直径を備える気泡が生じる傾向にある。
【００１７】
そこで、本発明の容器は、前記流体が二酸化炭素の場合には、前記気泡が、０．１〜１０ｍｍの範囲で、射出方向の上流側から下流側に向かうにつれて次第に大きくなる平均直径を備えるものを得ることができる。
【００１８】
本発明の容器においては、射出された前記ポリ乳酸樹脂中で生じた複数の気泡が、該ポリ乳酸樹脂の流動に伴って射出方向の上流側から下流側に向かって移動しながら一体化することにより、前記範囲で射出方向の上流側から下流側に向かうにつれて次第に大きくなる平均直径を備える気泡が形成される。
【００１９】
前記気泡は、前記範囲の平均直径を備えることにより、肉眼で見ることができ、光を乱反射させることがない。この結果、容器全体が透明となる。また、前記気泡は、射出方向の上流側から下流側に向かうにつれて次第に大きくなる平均直径を備えることにより、恰も水底から水中に気泡が上昇しているような印象を呈する。
【００２０】
したがって、本発明の容器によれば、無色透明な非発泡体層を介して、前記印象を呈する気泡を見ることができ、涼感を備える装飾性を得ることができる。
【００２１】
前記流体が二酸化炭素である本発明の容器において、前記気泡が０．１ｍｍ未満の平均直径を備える場合には、該気泡を肉眼で見ることができないことができないことがある。また、前記流体が二酸化炭素である本発明の容器において、前記気泡が１０ｍｍの平均直径を超える場合には、破泡により該気泡を維持することができないことがある。
【００２２】
一方、前記流体が窒素の場合には、射出された前記ポリ乳酸樹脂中で生じた複数の気泡が小さな直径を備える傾向にある。
【００２３】
そこで、本発明の容器は、前記流体が窒素の場合には、前記気泡が、０．５〜５０μｍの範囲である平均直径を備えるものを得ることができる。
【００２４】
本発明の容器においては、射出された前記ポリ乳酸樹脂中で生じた複数の気泡が、該ポリ乳酸樹脂の流動に伴って射出方向の上流側から下流側に向かって移動し、前記範囲の平均直径を備える気泡が形成される。
【００２５】
前記気泡は、前記範囲の平均直径を備えることにより、肉眼で見ることができず、光を乱反射させる。この結果、本発明の容器全体が白色として認識されることとなる。また、前記気泡は、射出されたポリ乳酸樹脂の射出方向の上流側から下流側に向かって移動することにより、該射出方向に沿って配置される。そして、前記気泡は、光を乱反射させることにより、ポリ乳酸樹脂の射出方向に沿って筋状に白く光って見える痕跡を示す。
【００２６】
したがって、本発明の容器によれば、無色透明な非発泡体層を介して、前記筋状に白く光って見える気泡を見ることができ、涼感を備える装飾性を得ることができる。
【００２７】
前記流体が窒素である本発明の容器において、前記気泡が０．５μｍ未満の平均直径を備える場合には、該気泡がポリ乳酸樹脂の射出方向に沿って筋状に白く光って見える痕跡を示さないことがある。また、前記流体が窒素である本発明の容器において、前記気泡が５０μｍの平均直径を超える場合には、該気泡が肉眼で見ることができる領域に近づき光を乱反射しなくなるために、筋状に白く光って見える気泡を見ることができないことがある。
【図面の簡単な説明】
【００２８】
【図１】第１の実施形態の食品容器を示す斜視図。
【図２】図１に示す食品容器の断面図。
【図３】図１に示す食品容器の製造に用いられる射出成形装置の説明的断面図。
【図４】第２の実施形態の食品容器を示す斜視図。
【図５】図４に示す食品容器の断面図。
【発明を実施するための形態】
【００２９】
次に、添付の図面を参照しながら本発明の実施の形態についてさらに詳しく説明する。図１は第１の実施形態の食品容器を示す斜視図であり、図２は図１に示す食品容器の断面図である。図３は、図１に示す食品容器の製造に用いられる射出成形装置の説明的断面図である。図４は第２の実施形態の食品容器を示す斜視図であり、図５は図４に示す食品容器の断面図である。
【００３０】
ポリ乳酸樹脂の射出成形品からなる第１の実施形態の食品容器１は、冷却されたジュース、アイスクリーム等の飲食物を収容するものであり、例えば図１に示すように、椀状の有底筒状体からなる。
【００３１】
本実施形態の食品容器１は、充填剤を含有しないポリ乳酸樹脂に、該ポリ乳酸樹脂に対して非反応性である超臨界状態の流体としての二酸化炭素を含有させ、該ポリ乳酸樹脂を射出成形してなる射出成形品であり、図２に示すように、内部に発泡体層２を備えると共に、表面に非発泡体層３を備えている。発泡体層２及び非発泡体層３はいずれもポリ乳酸樹脂からなり、非発泡体層３は、発泡体層２と一体に形成されている。前記非発泡体層３は、非晶質となっている。
【００３２】
発泡体層２は、不規則形状の気泡４と、該気泡４を囲む非発泡体部５とからなる。図１に示すように、気泡４は、０．１〜１０ｍｍの範囲で、射出方向の上流側から下流側（図１の下から上）に向かうにつれて次第に大きくなる平均直径を備えている。
【００３３】
本実施形態の食品容器１は、内部に発泡体層２を備えることにより、従来の中実体からなる食品容器と比較して熱伝導性が低くなり、内容物を賞味に適した温度を維持する保冷性を得ることができる。
【００３４】
また、本実施形態の食品容器１において、気泡４が、前記範囲の平均直径を備えることにより、肉眼で見ることができ、光を乱反射させることがない。この結果、食品容器１全体が透明となる。また、気泡４は、射出方向の上流側から下流側に向かうにつれて次第に大きくなる平均直径を備えることにより、恰も水底から水中に気泡が上昇しているような印象を呈する。
【００３５】
したがって、本実施形態の食品容器１によれば、無色透明な非発泡体層３を介して、前記印象を呈する気泡４を見ることができ、涼感を備える装飾性を得ることができる。
【００３６】
また、本実施形態の食品容器１は、発泡体層２及び非発泡体層３がいずれもポリ乳酸樹脂からなるので、使用時には容易に分解されず、廃棄後には容易に生分解されるという効果を奏することができる。また、前記装飾は気泡４が示す前記痕跡により得られたものであって、生分解性樹脂以外のものを用いて得られたものではないので、食品容器１は生分解性を確保することができる。
【００３７】
本実施形態の食品容器１は、例えば図３に示す射出成形装置１１により製造することができる。射出成形装置１１は、ポリ乳酸樹脂を金型１２に向けて搬送するシリンダー１３と、シリンダー１３内に配設された回転軸部１４と、回転軸部１４を回転駆動するモータ１５とを備えている。シリンダー１３は、金型１２と反対側の端部付近にポリ乳酸樹脂をシリンダー１３内に供給するホッパー１６を備えると共に、ホッパー１６の下流側でシリンダー１３の中央部付近に超臨界状態の流体をシリンダー１３内に供給する超臨界流体供給部１７を備えている。超臨界流体供給部１７は超臨界状態の流体を発生させる超臨界流体発生装置１８と、超臨界流体発生装置１８で発生された超臨界状態の流体をシリンダー１３に向けて搬送する流体導管１９と、流体導管１９の途中に介装された計量装置２０とを備える。流体導管１９は遮断弁２１を介してシリンダー１３に接続されている。
【００３８】
また、シリンダー１３は金型１２側の先端にノズル２２を備えると共に、外周面に複数の加熱装置２３ａを備える。ノズル２２は、外周面に加熱装置２３ｂを備えると共に、遮断弁２４を介して金型１２に接続されている。
【００３９】
回転軸１４は、金型１２と反対側の端部でモータ１５に接続されると共に、外周面に設けられた螺旋状のスクリュー２５と、金型１２側の最先端部に設けられたスクリューヘッド２６とを備えている。スクリュー２５は、モータ１５側の端部から、ホッパー１６の下部を通って超臨界流体供給部１７の下部の手前までの部分に設けられた基端側連続スクリュー２５ａと、超臨界流体供給部１７の下方部分に設けられた不連続スクリュー２５ｂと、スクリューヘッド２６と不連続スクリュー２７ｂとの間に設けられた先端側連続スクリュー２５ｃとからなる。不連続スクリュー２７ｂは、回転軸１４の周方向に沿って複数の不連続部を備えている。
【００４０】
金型１２は、食品容器１の外側形状に沿う形状の凹部２７を備える固定型１２ａと、食品容器１の内側形状に沿う形状の凸部２８を備える可動型１２ｂとからなり、凹部２７と凸部２８との間にキャビティ部２９が形成される。キャビティ部２９は、固定型１２ａに設けられたスプルー３０を介して射出成形装置１１のノズル２２に接続されている。
【００４１】
次に、射出成形装置１１を用いて本実施形態の食品容器１を製造する方法について説明する。射出製造装置１１では、まず、ホッパー１６からシリンダー１３内に充填剤非含有のポリ乳酸樹脂を投入する。前記充填剤非含有のポリ乳酸樹脂として、例えば、ユニチカ株式会社製のテラマック（登録商標）ＴＥ−２０００を挙げることができる。
【００４２】
前記ポリ乳酸樹脂は、シリンダー１３内で加熱装置２３ａの加熱下に連続スクリュー２５ａで攪拌されることにより溶融し、形成された溶融樹脂が金型１２方向に搬送される。
【００４３】
次に、超臨界流体供給部１７から、前記溶融樹脂に、ポリ乳酸樹脂に対して非反応性である超臨界状態の流体としての二酸化炭素が供給される。このとき、超臨界流体供給部１７の下方部分には不連続スクリュー２５ｂが設けられているので、前記超臨界状態の二酸化炭素は不連続スクリュー２５ｂにより攪拌され、前記溶融樹脂と十分に混合される。この結果、スクリューヘッド２６とノズル２２との間のシリンダー１３内に、前記溶融樹脂に前記超臨界状態の二酸化炭素が混合されて含浸された単相溶液としてのポリ乳酸樹脂が形成される。但し、前記単相溶液は、発泡のための核が未形成の状態にある。このとき、前記超臨界状態の二酸化炭素の前記ポリ乳酸樹脂に対する含浸量は、例えば０．０１〜０．３重量％の範囲とすることができる。
【００４４】
次に、前記溶融樹脂に前記超臨界状態の二酸化炭素が含浸されたポリ乳酸樹脂が、ノズル２２からスプルー３０を介して、金型１２のキャビティ部２９に射出される。このとき、ノズル２２内はシリンダー１３内に比較して圧力が降下する領域となっており、この領域を通過する間に前記ポリ乳酸樹脂に発泡のための核が形成される。
【００４５】
前記ポリ乳酸樹脂の射出は、例えば、シリンダー温度１９０〜２３０℃、射出圧力１２０ＭＰａ、射出速度２０ｍｍ／秒、キャビティ部２９に対する充填時間は３秒、保圧時間１２秒とすることができる。
【００４６】
また、金型１２のキャビティ部２９における表面温度は３０℃とすることができる。通常、表面が結晶化された射出成形品を得るためには、結晶化の核として作用する充填剤を含有するポリ乳酸樹脂を、表面温度が結晶化温度（１１０℃）以上のキャビティ部２９に射出する必要があり、該ポリ乳酸樹脂に超臨界状態の流体を含浸させた場合であっても、該表面温度を僅かに下げることしかできない。ところが、本実施形態では、射出するポリ乳酸樹脂が充填剤を含まず、表面の非発泡体層３を結晶化させる必要がないため、前記表面温度を３０℃と低くすることができ、成形サイクルを短くすることができる。
【００４７】
次に、キャビティ部２９に射出された前記ポリ乳酸樹脂は、キャビティ部２９にその先端部まで充填され、金型１２により冷却される。前記冷却時間は、例えば７０秒とすることができる。
【００４８】
このとき、キャビティ部２９に射出された前記ポリ乳酸樹脂は、金型１２に接する表面領域から内部へ向かって固化していく。また、キャビティ部２９がシリンダー１２内部よりも低圧であることにより、射出された前記ポリ乳酸樹脂中の超臨界状態の二酸化炭素は、該ポリ乳酸樹脂が固化していない内部領域で非超臨界状態となって気泡を生じる。
【００４９】
前記ポリ乳酸樹脂中で生じた気泡は、該ポリ乳酸樹脂が表面領域から固化していくために、該表面領域へ移動することができず、固化していない内部領域で、該ポリ乳酸樹脂の流動に伴って射出方向の上流側から下流側に向かって移動する。複数の前記気泡は、移動しながら一体化して、０．１〜１０ｍｍの範囲で、射出方向の上流側から下流側に向かうにつれて次第に大きくなる平均直径を備える気泡４になる。そして、気泡４は、射出された前記ポリ乳酸樹脂の内部領域の固化に伴って、発泡体層２を形成するとともに、前記範囲で射出方向の上流側から下流側に向かうにつれて次第に大きくなる平均直径を備えることにより、恰も水底から水中に気泡が上昇しているような印象を呈する。また、前記ポリ乳酸樹脂において射出方向の下流側で生じた気泡は、他の気泡と一体化する前に該ポリ乳酸樹脂が固化した場合には、小さな直径の気泡４となる。
【００５０】
また、射出された前記ポリ乳酸樹脂の表面領域には、非発泡体層３が形成され、該ポリ乳酸樹脂が充填剤を含有していないことにより、非発泡体層３は無色透明に形成される。
【００５１】
以上により、内部に発泡体層２を備えるとともに、表面に該発泡体層２と一体に形成された非発泡体層３を備え、無色透明な非発泡体層３を介して、前記印象を呈する気泡４を見ることができ、涼感を備える装飾性を備える射出成形品を得ることができる。
【００５２】
前記射出成形品は、金型１２を開き、脱型することにより、製品としての食品容器１として取り出すことができる。
【００５３】
次に、第２の実施形態のポリ乳酸樹脂の射出成形品からなる食品容器４１について説明する。食品容器４１は、食品容器１と同様に、冷却されたジュース、アイスクリーム等の飲食物を収容するものであり、例えば図４に示すように、椀状の有底筒状体からなる。
【００５４】
本実施形態の食品容器４１は、充填剤を含有しないポリ乳酸樹脂に、前記超臨界状態の流体としての窒素を含有させ、該ポリ乳酸樹脂を射出成形してなる射出成形品であり、図５に示すように、内部に発泡体層４２を備えると共に、表面に非発泡体層４３を備えている。発泡体層４２及び非発泡体層４３はいずれもポリ乳酸樹脂からなり、非発泡体層４３は、発泡体層４２と一体に形成されている。食品容器４１は、食品容器１と同様に、内部に発泡体層４２を備えることにより、内容物を賞味に適した温度を維持する保冷性を備えている。
【００５５】
発泡体層４２は、真球状の気泡４４と、該気泡４４を囲む非発泡体部４５とからなる。図４に示すように、気泡４４は、０．５〜５０μｍの範囲である平均直径を備えている。
【００５６】
また、本実施形態の食品容器４１において、気泡４４が、前記範囲の平均直径を備えることにより、肉眼で見ることができず、光を乱反射させる。この結果、食品容器４１全体が白色として認識されることとなる。また、気泡４４は、ポリ乳酸樹脂の射出方向に沿って筋状に白く光って見える痕跡を示す。
【００５７】
したがって、本実施形態の食品容器４１によれば、無色透明な非発泡体層４３を介して、前記筋状に光って見える気泡４４を見ることができ、涼感を備える装飾性を得ることができる。また、前記装飾は気泡４４が示す前記痕跡により得られたものであって、生分解性樹脂以外のものを用いて得られたものではないので、食品容器４１は生分解性を確保することができる。
【００５８】
本実施形態の食品容器４１は、食品容器１と同様に、例えば図３に示す射出成形装置１１により製造することができる。このとき、前記ポリ乳酸樹脂の射出条件及び冷却条件は、超臨界状態の流体としての二酸化炭素に代えて窒素を用いる点を除き、食品容器１と同一条件とすることができる。前記超臨界状態の窒素の前記ポリ乳酸樹脂に対する含浸量は、例えば０．０１〜０．３重量％の範囲とすることができる。
【００５９】
キャビティ部２９に射出された前記ポリ乳酸樹脂が金型１２により冷却される際、該ポリ乳酸樹脂が金型１２に接する表面領域から内部へ向かって固化していくとともに、該ポリ乳酸樹脂中の超臨界状態の窒素は、該ポリ乳酸樹脂が固化していない内部領域で非超臨界状態となって気泡を生じる。
【００６０】
前記ポリ乳酸樹脂中で生じた気泡は、該ポリ乳酸樹脂が表面領域から固化していくために、固化していない内部領域で、該ポリ乳酸樹脂の流動に伴って射出方向の上流側から下流側に向かって移動し、０．５〜５０μｍの範囲である平均直径を備える気泡４４になる。そして、気泡４４は、射出された前記ポリ乳酸樹脂の射出方向に沿って配置され、該ポリ乳酸樹脂の内部領域の固化に伴って、発泡体層４２を形成する。
【００６１】
以上により、内部に発泡体層４２を備えるとともに、表面に該発泡体層４２と一体に形成された非発泡体層４３を備える食品容器４１を得ることができる。また、食品容器４１においては、気泡４４が、前記範囲の平均直径を備えることにより、肉眼で見ることができず、光を乱反射させる。この結果、本実施形態の食品容器４１全体が白色として認識されることとなる。また、気泡４４が、前記ポリ乳酸樹脂の射出方向に沿って配置されていることにより、該ポリ乳酸樹脂の射出方向に沿って筋状に白く光って見える痕跡を示し、本実施形態の食品容器４１は、涼感を備える装飾を得ることができる。
【００６２】
以上、本実施形態の食品容器１，４１として、椀状の有底筒状体からなるものについて説明したが、椀状の有底筒状体に限定されるものではなく、例えば、マグカップのように、有底筒状体に取手を備えるものであってもよい。
【００６３】
また、本実施形態では、食品容器１，４１について説明したが、容器は食品容器に限定されず、例えば、花瓶等の装飾用容器とすることも可能である。
【符号の説明】
【００６４】
１…食品容器、  ２…発泡体層、  ３…非発泡体層、  ４…気泡、  ４１…食品容器、  ４２…発泡体層、  ４３…非発泡体層、  ４４…気泡。
【図２】
2010111437.tif 000003
【図３】
2010111437.tif 000004
【図４】
2010111437.tif 000005
【図５】
2010111437.tif 000006
【図１】
2010111437.tif 000007